(57)【要約】【課題】狭い現像ギャップでも高精度にギャップを維持でき、振動の発生を抑制した良好な画像が得られる画像形成装置を提供することを目的とする。【解決手段】画像形成装置において、像担持体と、トナー搬送面が前記像担持体に所定の現像ギャップを置いて対向するように設けられ前記像担持体にトナーを搬送する現像ローラと、前記現像ローラの両端のトナー非搬送面に小径部を形成し、前記小径部に粘着層兼制振層を下層とし基材層を上層とする二層構造のスペーサを配置して現像ギャップを維持することを特徴とする。【選択図】図４
2007034111.tif 000002
【特許請求の範囲】
【請求項１】
像担持体と、トナー搬送面が前記像担持体に所定の現像ギャップを置いて対向するように設けられ前記像担持体にトナーを搬送する現像ローラと、前記現像ローラの両端のトナー非搬送面に小径部を形成し、前記小径部に粘着層兼制振層を下層とし基材層を上層とする二層構造のスペーサを配置して現像ギャップを維持することを特徴とする画像形成装置。
【請求項２】
前記現像ローラの両端のトナー非搬送面に形成した小径部に、現像ローラのトナー非搬送面の端部段差面から間隔を開けて粘着層兼制振層を下層とし基材層を上層とする二層構造のスペーサを配置することを特徴とする請求項１に記載の画像形成装置。
【請求項３】
前記スペーサの粘着層兼制振層の厚みを前記基材層の厚みより薄くすることを特徴とする請求項１又は２に記載の画像形成装置。
【請求項４】
前記スペーサの粘着層兼制振層の厚みを前記基材層の厚みより厚くすることを特徴とする請求項１又は２に記載の画像形成装置。
【請求項５】
前記小径部に配置されたスペーサの基材層の一端が現像ローラのトナー搬送面側に伸び、前記トナー搬送面と同じ径で覆い被さるように配置されることを特徴とする請求項１に記載の画像形成装置。
【請求項６】
前記現像ローラの両端のトナー非搬送面に凹部を形成し、前記凹部にスペーサの粘着層兼制振層を配置し、前記スペーサの基材層の両端を前記凹部より幅広くすることを特徴とする請求項１に記載の画像形成装置。
【請求項７】
前記凹部の深さと前記スペーサの粘着層兼制振層の厚みをほぼ同一とすることを特徴とする請求項６に記載の画像形成装置。
【請求項８】
前記現像ローラの両端の非搬送面に凹部を形成し、前記凹部にスペーサの粘着層兼制振層をトナー非搬送面の端部段差面と間隔を開けて配置し、前記スペーサの基材層の一端をトナー搬送面と反対側に伸ばして配置することを特徴とする請求項１に記載の画像形成装置。
【請求項９】
前記現像ローラの両端のトナー非搬送面に所定間隔で凹部を形成し、前記複数の凹部にスペーサの粘着層兼制振層を配置し、その上に基材層を配置することを特徴とする請求項１に記載の画像形成装置。
【請求項１０】
前記現像ローラのスペーサ取付け部を金属とすることを特徴とする請求項１〜９のいずれかに記載の画像形成装置。
【発明の詳細な説明】
【技術分野】
【０００１】
本発明は、電子写真、静電複写機、プリンタ、ファクシミリ等の画像形成装置の技術分野に関し、特に、像担持体と現像ローラとの間に所定の現像ギャップを有する非接触ジャンピング現像方式の画像形成装置に関する。
【背景技術】
【０００２】
従来、画像形成装置として、非接触ジャンピング現像方式が知られている。この非接触ジャンピング現像方式の画像形成装置は、像担持体である感光体と現像ローラとの間に所定の現像ギャップを設けるとともに、現像ローラ上のトナーを感光体にジャンピングさせて感光体上に静電潜像を現像する方式である。この非接触ジャンピング現像方式では、感光体と現像ローラとの間の現像ギャップを高精度に維持することが良好な現像を行う上で重要である。
【０００３】
感光体と現像ローラとの間の現像ギャップを高精度に維持する従来技術として、特開平５−２７５７１号公報（従来例１）には、現像ギャップ調整材としてシート状部材を用い、このシート状部材を現像ローラの両端部外周面と感光体の両端部外周面との間に介在させることで、現像ローラと感光体との間に適正な現像ギャップを容易に確保する技術が開示されている。また、特開２００１−２９６７２３号公報（従来例２）には、帯電ローラの両端部の外周面にフィルム部材を巻き付けて固定し、これらのフィルム部材に像担持体を当接させて、帯電ローラと像担持体との間に所定の帯電ギャップを設けることにより、近接帯電を行う技術が開示されている。
【特許文献１】特開平５−２７５７１号公報
【特許文献２】特開２００１−２９６７２３号公報
【発明の開示】
【発明が解決しようとする課題】
【０００４】
しかしながら、従来例１のものは、現像ギャップ調整材が感光体及び現像ローラとは別の場所に設けているので、感光体、現像ローラ及び現像ギャップ調整材の組付けが面倒であるばかりでなく、組付け状態によっては高精度に現像ギャップを設定するのが困難となる。しかも、現像ギャップ調整材が固定されているのに対して、感光体と現像ローラは回転するため、現像ギャップ調整材と感光体との間、及び現像ギャップ調整材と現像ローラとの間が擦られて、感光体及び現像ローラに摩耗が発生し、高精度な現像ギャップの維持が困難となる。
【０００５】
また、従来例２の帯電ギャップ調整材を現像ギャップ調整材に適用して現像ギャップを高精度に維持することが考えられる。しかしながら、帯電ローラは高い駆動トルクを必要としないが、現像ローラは、供給ローラや規制ブレード等を当接摩擦させてトナーの帯電や供給を行うため、高い駆動トルクが必要であり、駆動による振動が生じやすい。さらに、帯電ギャップ調整材を現像ローラに適用した場合、コロ状のギャップ調整材よりも現像ギャップを高精度に確保することができるが、現像ローラの振動を直接感光体に伝えやすく、現像ローラの駆動振動や感光体の当接面の振動が、現像ギャップやトナー現像に影響を与え、画像面にバンディングの画像として現れやすいという問題が発生する。また、現像ローラと感光体の駆動が異なる場合、現像ギャップ調整材の周方向の伸びや振動が発生しやすいという問題が発生する。
【０００６】
また、現像ギャップ調整材は、材料として高強度・高耐久性・低摩擦・耐環境特性・耐振性等が求められるが、高性能化を求めると厚みが厚くなってしまい、現像ギャップ１００μｍ以下のような狭い現像ギャップでは困難になってくるという問題を有する。
【０００７】
本発明は、前記従来技術の持つ課題を解決する、狭い現像ギャップでも高精度にギャップを維持でき、振動の発生を抑制した良好な画像が得られる画像形成装置を提供することを目的とする。
【課題を解決するための手段】
【０００８】
本第１発明は、前記課題を解決するために、画像形成装置において、像担持体と、トナー搬送面が前記像担持体に所定の現像ギャップを置いて対向するように設けられ前記像担持体にトナーを搬送する現像ローラと、前記現像ローラの両端のトナー非搬送面に小径部を形成し、前記小径部に粘着層兼制振層を下層とし基材層を上層とする二層構造のスペーサを配置して現像ギャップを維持することを特徴とする。
【０００９】
本第２発明は、本第１発明の画像形成装置において、前記現像ローラの両端のトナー非搬送面に形成した小径部に、現像ローラのトナー非搬送面の端部段差面から間隔を開けて粘着層兼制振層を下層とし基材層を上層とする二層構造のスペーサを配置することを特徴とする。
【００１０】
本第３発明は、本第１又は第２発明の画像形成装置において、前記スペーサの粘着層兼制振層の厚みを前記基材層の厚みより薄くすることを特徴とする。
【００１１】
本第４発明は、本第１又は第２発明の画像形成装置において、前記スペーサの粘着層兼制振層の厚みを前記基材層の厚みより厚くすることを特徴とする。
【００１２】
本第５発明は、本第１発明の画像形成装置において、前記小径部に配置されたスペーサの基材層の一端が現像ローラのトナー搬送面側に伸び、前記トナー搬送面と同じ径で覆い被さるように配置されることを特徴とする。
【００１３】
本第６発明は、本第５発明の画像形成装置において、前記現像ローラの両端のトナー非搬送面に凹部を形成し、前記凹部にスペーサの粘着層兼制振層を配置し、前記スペーサの基材層の両端を前記凹部より幅広くすることを特徴とする。
【００１４】
本第７発明は、本第６発明の画像形成装置において、前記凹部の深さと前記スペーサの粘着層兼制振層の厚みをほぼ同一とすることを特徴とする。
【００１５】
本第８発明は、本第１発明の画像形成装置において、前記現像ローラの両端の非搬送面に凹部を形成し、前記凹部にスペーサの粘着層兼制振層を非トナー搬送面の端部段差面と間隔を開けて配置し、前記スペーサの基材層の一端をトナー搬送面と反対側に伸ばして配置することを特徴とする。
【００１６】
本第９発明は、本第１発明の画像形成装置において、前記現像ローラの両端のトナー非搬送面に所定間隔で凹部を形成し、前記複数の凹部にスペーサの粘着層兼制振層を配置し、その上に基材層を配置することを特徴とする。
【００１７】
本第１０発明は、本第１〜第９発明のいずれかの画像形成装置において、前記現像ローラのスペーサ取付け部を金属とすることを特徴とする。
【発明の効果】
【００１８】
本発明の像担持体と、トナー搬送面が前記像担持体に所定の現像ギャップを置いて対向するように設けられ前記像担持体にトナーを搬送する現像ローラと、前記現像ローラの両端のトナー非搬送面に小径部を形成し、前記小径部に粘着層兼制振層を下層とし基材層を上層とする二層構造のスペーサを配置して現像ギャップを維持する構成により、下層の粘着層兼制振層が現像ローラの振動を制振し、優れた接着性により現像ローラへの取り付けを容易とし、上層の基材層がギャップスペーサとしての硬さを確保するので、高精度な現像ギャップを確保でき、かつ、スペーサが小径部に配置されるので厚みの厚い高性能なスペーサを配置できる。
現像ローラの両端のトナー非搬送面に形成した小径部に、現像ローラのトナー搬送面の端部段差面から間隔を開けて粘着層兼制振層を下層とし基材層を上層とする二層構造のスペーサを配置する構成により、トナー搬送面からのトナーがスペーサとの隙間に入り排出されるので、スペーサの取り付け面にトナーが入り込み、スペーサが片寄りになって片側だけ盛り上がる現象を回避できる。
スペーサの粘着層兼制振層の厚みを前記基材層の厚みより薄くする構成により、スペーサの圧縮変形を減少させ、現像ギャップを高精度に維持できる。
スペーサの粘着層兼制振層の厚みを前記基材層の厚みより厚くする構成により、現像ローラの振動を制振する機能を向上させ、バンディングを抑制できる。
小径部に配置されたスペーサの基材層の一端が現像ローラのトナー搬送面側に伸び、前記トナー搬送面と同じ径で覆い被さるように配置する構成により、スペーサと感光体との当接圧が強い時や高気温時に、柔らかい粘着層兼制振層が縮んでも、基材層が粘着層兼制振層より長いので現像ギャップを高精度に維持できる。
現像ローラの両端のトナー非搬送面に凹部を形成し、前記凹部にスペーサの粘着層兼制振層を配置し、前記スペーサの基材層の両端を前記凹部より幅広くする構成により、スペーサと感光体との当接圧が強い時や高気温時に、柔らかい粘着層兼制振層が縮んでも、基材層が粘着層兼制振層より長いので現像ギャップを高精度に維持できる。
現像ローラの両端の非搬送面に凹部を形成し、前記凹部にスペーサの粘着層兼制振層をトナー搬送面の端部段差面と間隔を開けて配置し、前記スペーサの基材層の一端をトナー搬送面と反対側に伸ばして配置する構成により、トナー搬送面トナーがスペーサ側に入り込んでも隙間に流れ込み排出されるので、スペーサの取り付け面へのトナーの浸入によるスペーサの片寄りが防止され、基材層が粘着層兼制振層より長く伸びているので現像ギャップを高精度に維持できる。
現像ローラの両端のトナー非搬送面に所定間隔で凹部を形成し、前記複数の凹部にスペーサの粘着層兼制振層を配置し、その上に基材層を配置する構成により、トナー搬送面トナーがスペーサ側に入り込んでも隙間に流れ込み排出され、またスペーサの両端部の粘着層兼制振層でトナーの進入を防止しながら、基材層の中心と凸部で現像ギャップを高精度に維持できる。
凹部の深さと前記スペーサの粘着層兼制振層の厚みをほぼ同一とする構成により、スペーサと制振層の両方の機能として現像ギャップを高精度に維持しながら現像ローラの振動を制振する機能を向上させ、バンディングを抑制できる。
現像ローラのスペーサ取付け部を金属とする構成により、スペーサの振動を熱エネルギーに変換する制振材からの発生熱エネルギーが熱伝導率の高い金属から逃げ、スペーサの温度上昇を抑制できる。
【発明を実施するための最良の形態】
【００１９】
本発明の実施の形態を図により説明する。図１は、本発明にかかる画像形成装置の実施形態の一例に用いられる現像装置と感光体とが一体に形成した現像カートリッジの横断面図であり、図２は現像カートリッジの部分図である。
【００２０】
図１，図２に示すように、本発明の画像形成装置の現像カートリッジ１は、像担持体（この例では感光体２となるから、以下、「感光体２」という。）と現像装置３とが一体にされた感光体−現像装置一体カートリッジとして構成される。
【００２１】
現像装置３は、感光体２にトナーＴを搬送する現像ローラ５、現像ローラ５に圧接されてトナーＴを供給する供給ローラ６、現像ローラ５に圧接されて感光体２に搬送されるトナーＴを規制する規制ブレード７、トナーＴを攪拌して搬送するトナー攪拌搬送部材８、トナー攪拌搬送部材８によって搬送されたトナーＴを受けて供給ローラ６の方へ案内するトナー受け部材９、および現像ローラ５に現像後残ったトナーＴを回収する方向に当接しながらトナー漏れを防止するための上シール１０を備えている。そして、感光体２、現像ローラ５、供給ローラ６、規制ブレード７、トナー攪拌搬送部材８およびトナー受け部材９はいずれも感光体−現像装置一体ケース４内に配設される。
【００２２】
図３に示すように、感光体２は、その中央部に像担持面２ａが形成され、その両端部に像非担持面２ｂ、２ｃが形成される。また、現像ローラ５は、その中央部にトナー搬送面５ａが形成され、その両端部にトナー非搬送面５ｂ、５ｃが形成される。
【００２３】
現像ローラ５のトナー非搬送面５ｂ、５ｃには、小径部５ｄが形成され、小径部５ｄの周面にスペーサ１１、１２が巻かれて固定される。このスペーサ１１、１２が、感光体２の像非担持面２ｂ、２ｃに圧接されることで、現像ローラ５のトナー搬送面５ａと感光体２の像担持面２ａとの間に現像ギャップｇが形成される。
【００２４】
そして、この現像ギャップｇは、スペーサ１１、１２の厚みを適宜選択することで所望の大きさに設定できる。これにより、現像装置３は、非磁性一成分現像剤であるトナーＴを用いた非接触ジャンピング現像を行う。その場合、図１に示すように、感光体２が時計回りに回転し、現像ローラ５および供給ローラ６が共に反時計回りに回転する。感光体２と現像ローラ５は別駆動で回転駆動される。そして、感光体２の周速と現像ローラ５上のスペーサ１１、１２の周速とが同一または略同一に設定される。
【００２５】
現像ローラ５は、供給ローラ６や規制ブレード７等を当接摩擦させてトナーＴの帯電、供給を行うため、高い駆動トルクが必要であり、駆動による振動が生じやすい。現像ローラ５の振動を直接感光体２に伝えやすく、これは、現像ギャップｇやトナーＴの現像に悪影響を与え、画像面にバンディングの画像として現れやすいという問題が発生する。
【００２６】
図４は、本発明の一方のスペーサ１１の概略斜視図である。他方のスペーサ１２の構成も同様であるので説明を省略する。現像ローラ５のトナー非搬送面５ｂに取り付けられるスペーサ１１は、粘着層兼制振層１３を下層とし、基材層１４を上層とする二層構造となっている。粘着層兼制振層１３の材料としては、制振性能が高く粘着性のあるブチルゴム系、エチレンアクリル系、ノルボネン系、シリコンゲル系、アクリル系が好ましい。基材層１４の材料としては、現像ギャップｇを精度良く保つために柔らかすぎず比較的硬度があるフッ素樹脂、ポリエステル、ポリオレフィン、ポリイミド、エポキシ、アセテート、シリコーン、アクリル、ゴムのようなプラスチックやゴム等であり、かつ絶縁体であることが好ましい。
【００２７】
図５は、本発明の一方のスペーサ１１の取付け構成の一実施形態を示す図である。この実施形態では、現像ローラ５のトナー非搬送面５ｂに形成した小径部５ｄに、粘着層兼制振層１３を下層とし、基材層１４を上層とした二層構造のスペーサ１１が、小径部５ｄとトナー搬送面５ａとの段差面に密着して配置される。そして、この実施形態では、粘着層兼制振層１３の厚みを基材層１４の厚みより薄くし、圧縮変形量を少なくし、基材層１４の硬さで現像ギャップｇを高精度に維持するようにしたものである。
【００２８】
図６に示す実施形態では、現像ローラ５のトナー非搬送面５ｂに形成した小径部５ｄに、粘着層兼制振層１３を下層とし、基材層１４を上層とした二層構造のスペーサ１１が、小径部５ｄとトナー搬送面５ａとの段差面に密着して配置される。そして、この実施形態では、粘着層兼制振層１３の厚みを基材層１４の厚みより厚くし、制振性能を高め、バンディングの発生を抑制する。
【００２９】
図７に示す実施形態では、現像ローラ５のトナー非搬送面５ｂに形成した小径部５ｄに、粘着層兼制振層１３を下層とし、基材層１４を上層とした二層構造のスペーサ１１が、粘着層兼制振層１４を小径部５ｄとトナー搬送面５ａとの段差面に密着して配置し、基材層１４の一端をトナー搬送面５側に伸ばし、トナー搬送面５ａと同じ径で覆い被さるように配置する。これは、スペーサ１１と感光体２との当接圧が強い時や高気温時に、柔らかい粘着層兼制振層１３が縮んでも、基材層１４が粘着層兼制振層１３より長いので現像ギャップｇを高精度に維持できる。
【００３０】
図８に示す実施形態では、現像ローラ５のトナー非搬送面５ｂに形成した小径部５ｄに、粘着層兼制振層１３を下層とし、基材層１４を上層とした二層構造のスペーサ１１が、小径部５ｄとトナー搬送面５ａとの段差面との間に隙間１５を設けて配置される。密着させずに隙間１５を設けるのは、トナー搬送面５ａからのトナーがスペーサ１１側に入り込んでも隙間１５に流れ込み排出されるので、スペーサ１１の取り付け面へのトナーの浸入によるスペーサ１１の片寄りが防止される。
【００３１】
図９に示す実施形態では、現像ローラ５のトナー非搬送面５ｂに凹部５ｅを形成し、凹部５ｅの軸にスペーサ１１の粘着層兼制振層１３を取り付け、基材層１４を凹部５ｅの幅より幅広くする。これは、スペーサ１１と感光体２との当接圧が強い時や高気温時に、柔らかい粘着層兼制振層１３が縮んでも、基材層１４が粘着層兼制振層１３より長いので現像ギャップｇを高精度に維持できる。
【００３２】
図１０に示される実施形態では、現像ローラ５のトナー非搬送面５ｂに凹部５ｅを形成し、凹部５ｅの軸にスペーサ１１の粘着層兼制振層１３を取り付け、基材層１４を凹部５ｅの幅より幅広くする。この際、粘着層兼制振層１３の厚みを凹部５ｅの深さとほぼ同じくし、基材層１４をトナー非搬送面５ｂと密着させ、現像ギャップｇの高精度な維持を図る。
【００３３】
図１１に示される実施形態では、現像ローラ５のトナー非搬送面５ｂに凹部５ｅを形成し、凹部５ｅの軸にスペーサ１１の粘着層兼制振層１３を、トナー搬送面５ａとの段差面との間に隙間１５を設けて取り付け、基材層１４のトナー搬送面５ａと反対側を凹部５ｅより外側に伸ばす。隙間１５が設けられるので、トナー搬送面５ａからのトナーがスペーサ１１側に入り込んでも隙間１５に流れ込み排出されるので、スペーサ１１の取り付け面へのトナーの浸入によるスペーサ１１の片寄りが防止され、基材層１４が粘着層兼制振層１３より長く伸びているので現像ギャップｇを高精度に維持できる。
【００３４】
図１２に示される実施形態では、現像ローラ５のトナー非搬送面５ｂに凹部５ｅを形成し、さらに、端部側に小径部５ｄを形成し、凹部５ｅと小径部５ｄにスペーサ１１の粘着層兼制振層１３を取り付け、凹部５ｅと小径部５ｄの粘着層兼制振層１３の上に基材層１４を積層する。凹部５ｅの粘着層兼制振層１３は、トナー搬送面５ａとの段差面との間に隙間１５を設けて取り付ける。トナー搬送面５ａからのトナーがスペーサ１１側に入り込んでも隙間１５に流れ込み排出される。また、基材層１４の両端部の粘着層兼制振層１３でトナーの進入を防止しながら、基材層１４の中心と凸部で現像ギャップを高精度に維持できる。
【００３５】
図１３は、本発明の画像形成装置を示す装置全体の断面図である。
【００３６】
図１３において、ドラム状の感光体１０１は、図示しないモータ等の駆動源により回転駆動される。感光体１０１の外周には帯電ブラシ等の帯電手段１０２が配置され、感光体１０１に当接回転しながら感光体１０１の表面が一様に帯電される。
【００３７】
表面が一様に帯電された感光体１０１は、ライン露光ヘッド走査光学系等の潜像形成手段１０３によって第１色目として例えばイエローの画像情報に応じて選択的に走査露光され、イエロー用の静電潜像が形成される。
【００３８】
静電潜像が記録された感光体１０１の回転方向下流側には、現像剤としてそれぞれイエロー、マゼンタ、シアン、ブラックのトナーを貯蔵し、感光体１０１に対して離接自在な現像手段１０４、１０５、１０６、１０７が配置され、形成されたイエロー用の静電潜像はイエロー現像手段１０４のみが感光体１０１と当接して現像することでイエローのトナー像が形成される。
【００３９】
トナー像が形成された感光体１０１の回転方向下流側には、感光体１０１に隣接して中間転写ベルト１０８が配置される。中間転写ベルト１０８は、駆動ローラ１０９、テンションローラ１１１に掛け回され支持されており、感光体１０１の周速度に対して１０１％以内の若干速い速度で駆動されている。
【００４０】
また、一次転写ローラ１１３は中間転写ベルト１０８を介して感光体１０１側に付勢されており、中間転写ベルト１０８が感光体１０１と一次転写ローラ１１３によって挟持される一次転写位置において、図示しない高圧電源から一次転写ローラ１１３へ電圧が供給されることで前述の手順で形成されたイエローのトナー像が中間転写ベルト１０８の表面に転写される。
【００４１】
中間転写ベルト１０８にイエローのトナー像を転写した感光体１０１は更に回転し、クリーナーブレード等で構成された感光体クリーナによって感光体１０１の表面に残留するトナーが掻き取られ、再び画像形成が可能となる。
【００４２】
同様の手順を第２色目から第４色目の画像（マゼンタ、シアン、ブラック）に対して繰り返し行うことで中間転写ベルト１０８上に４色のトナー像が順次重ね合わせて記録される。
【００４３】
中間転写ベルト１０８へ４色のトナー像の重ね合わせが終了すると、給紙ローラ１２０、紙搬送ローラ対１１５および１１６によって記録シートが給送され、これと同期して二次転写ローラ１１８が中間転写ベルト１０８を介してバックアップローラと当接し、図示しない高圧電源から電圧が二次転写ローラ１１８へ印加されることで中間転写ベルト１０８上の４色のトナー像が記録シートへ一括して転写される。二次転写を終えた中間転写ベルト１０８にはクリーナーブレード等で構成されたクリーナ１２１が図示しないクラッチ機構とカム機構によって回動して当接し、中間転写ベルト１０８の表面に残留したトナーが掻き取られ、掻き取りが終了するとクリーナ１２１は逆方向に回動して退避する。
【００４４】
４色のトナー像が転写された記録シートは、ハロゲンランプ等の加熱手段を内蔵したヒートローラを有する定着手段１２２で加熱加圧しながら挟持搬送されてトナー像が定着される。トナー像が定着された記録シートは排紙ローラ対１２３および１２４によって装置外部へと排出され、カラー画像記録が完了する。
【図面の簡単な説明】
【００４５】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【図１２】本発明の実施形態を示す図である。
【図１３】本発明の実施形態を示す図である。
【符号の説明】
【００４６】
１：現像カートリッジ、２：感光体、２ａ：像担持面、２ｂ：像非担持面、２ｃ：像非担持面、３：現像装置、４：感光体−現像装置一体ケース、５：現像ローラ、５ａ：トナー搬送面、５ｂ：トナー非搬送面、５ｃ：トナー非搬送面、５ｄ：小径部、５ｅ：凹部、６：供給ローラ、７：規制ブレード、８：トナー攪拌搬送部材、９：トナー受け材、１０：上シール、１１：スペーサ、１２：スペーサ、１３：粘着層兼制振層、１４：基材層
、１５：隙間
【図１】
2007034111.tif 000003
【図２】
2007034111.tif 000004
【図３】
2007034111.tif 000005
【図４】
2007034111.tif 000006
【図５】
2007034111.tif 000007
【図６】
2007034111.tif 000008
【図７】
2007034111.tif 000009
【図８】
2007034111.tif 000010
【図９】
2007034111.tif 000011
【図１０】
2007034111.tif 000012
【図１１】
2007034111.tif 000013
【図１２】
2007034111.tif 000014
【図１３】
2007034111.tif 000015